(57)【特許請求の範囲】
【請求項１】
使用するレーザの波長が異なる少なくとも２つ以上の光ディスクに対して情報の書き込みが可能である光ディスク情報記録装置において、
異なるレーザ波長を有する少なくとも２つ以上のレーザ光源の発光パワーをモニタする１つの受光素子と、該受光素子の出力信号を増幅する第１の増幅器と、該第１の増幅器の出力経路を切り替える信号切替え手段と、該信号切替え手段からの前記第１の増幅器の出力信号を、更に増幅する第２の増幅器と、を備え、
前記受光素子がモニタするレーザ波長に基づいて、前記信号切替え手段は前記第１の増幅器の出力信号をそのまま出力するか、前記第２の増幅器を介して出力するかを選択可能としたことを特徴とする光ディスク情報記録装置。
【請求項２】
前記第１の増幅器は、前記少なくとも２つ以上のレーザ光源の一方の発光パワーを最適な信号レベルに増幅するように構成され、前記第２の増幅器は、前記第１の増幅器の出力レベルを更に増幅して、前記少なくとも２つ以上のレーザ光源の他方の発光パワーを最適な信号レベルに増幅するように構成されていることを特徴とする請求項１に記載の光ディスク情報記録装置。
【請求項３】
使用するレーザの波長が異なる少なくとも２つ以上の光ディスクに対して情報の書き込みが可能である光ディスク情報記録装置において、
異なるレーザ波長を有する少なくとも２つ以上のレーザ光源の発光パワーをモニタする１つの受光素子と、該受光素子の出力信号の出力経路を切り替える信号切替え手段と、該信号切替え手段からの出力信号を増幅する増幅器と、を備え、
前記受光素子がモニタするレーザ波長に基づいて、前記信号切替え手段は前記受光素子の出力信号をそのまま出力するか、前記増幅器を介して出力するかを選択可能であることを特徴とする光ディスク情報記録装置。
【請求項４】
光ディスクに対して情報の書き込みが可能である光ディスク情報記録装置に搭載するパワーモニタ回路であって、
レーザ光源の発光パワーをモニタする１つの受光素子と、
前記受光素子の出力信号を増幅する第１の増幅器と、
前記第１の増幅器の出力経路を切り替える信号切替え手段と、
前記信号切替え手段からの前記第１の増幅器の出力信号を、更に増幅する第２の増幅器と、
前記信号切替え手段を駆動させる入力端子と、
前記第１の増幅器の出力信号を出力する端子と、
前記第２増幅器の出力信号を出力する端子を有することを特徴とするパワーモニタ回路。
【請求項５】
光ディスクに対して情報の書き込みが可能である光ディスク情報記録装置に搭載するパワーモニタ回路であって、
レーザ光源の発光パワーをモニタする１つの受光素子と、
前記受光素子の出力信号の出力経路を切り替える信号切替え手段と、
前記信号切替え手段からの出力信号を増幅する増幅器と、
前記信号切替え手段を駆動させる入力端子と、
前記受光素子の出力信号をそのまま出力する出力端子と、
前記増幅器の出力信号を出力する端子を有することを特徴とするパワーモニタ回路。
【発明の詳細な説明】
【０００１】
【発明の属する技術分野】
本発明は、光ディスク情報記録装置に関し、さらに詳しくは、半導体レーザの記録パワーをモニタする回路に関するものである。
【０００２】
【従来の技術】
半導体レーザは、小型で、かつ少ない駆動電流により高速に変調を行なうことが可能なため、さまざまな分野の光源として広く用いられている。しかし、半導体レーザの駆動電流と光出力との関係は、温度により著しく変化するため、光強度を所望の値に設定しようとする場合に、その安定性が問題になる。この問題を解決するために、特に、光ディスク装置ではＡＰＣ（Automatic Power Control）回路を用いて、半導体レーザの光出力を受光素子によりモニタし、この受光素子から発生する半導体レーザの光出力に比例した信号と、発光レベル指令信号とが等しくなるように常時半導体レーザの順方向電流を制御している。この技術は、記録再生可能な光ディスク装置であるＣＤ−Ｒ／ＲＷドライブでも利用され、前記レーザのパワー制御を行なっている。
【０００３】
図７に従来のＣＤ−Ｒ／ＲＷ、ＤＶＤ＋Ｒ／ＲＷ両規格対応ドライブのピックアップ内部にあるパワーモニタ回路の一例を示す。このピックアップ７７の構成は、パワーモニタ回路７６は、光ディスクがＣＤ−Ｒ／ＲＷの時の半導体レーザのパワーモニタに使う受光素子７０と、受光素子７０の出力信号を増幅する増幅器７１と、光ディスクがＤＶＤ＋Ｒ／ＲＷの時の半導体レーザのパワーモニタに使う受光素子７３と、受光素子７３の出力信号を増幅する増幅器７４から構成されている。
この図からパワーモニタ回路７６から出力されるパワーモニタ信号７２、７５は、半導体レーザの光出力に比例しており、パワーモニタ回路７６はレーザパワーの光出力の値を電圧値でＣＤ−Ｒ／ＲＷ、ＤＶＤ＋Ｒ／ＲＷ両規格対応ドライブ内のシステムコントローラに出力している。このパワーモニタ信号７２、７５の分解能は、半導体レーザの最大光出力値とパワーモニタ回路７６の動作電圧によって決まる。この分解能とは、半導体レーザの光出力１ｍＷに対するパワーモニタ信号の電圧レベルのことであり、分解能は大きい程よい。また、ＣＤ−Ｒ／ＲＷはＤＶＤ＋Ｒ／ＲＷと比べて記録スピードが速いため、最高速での記録パワーはＤＶＤ＋Ｒ／ＲＷのそれより大きい。このことより、ＣＤ−Ｒ／ＲＷとＤＶＤ＋Ｒ／ＲＷのパワーモニタ信号の分解能が異なることが分かる。そのために、図７で増幅器７１と増幅器７４は受光素子７０、７３からの出力信号を、それぞれの光ディスクの分解能に合うようにモニタ信号をレベル変換している。これらモニタ信号７２、７５はシステムコントローラへ出力され、半導体レーザの光出力のパワー制御が実現される。このように従来のＣＤ−Ｒ／ＲＷ、ＤＶＤ＋Ｒ／ＲＷ両規格対応ドライブは、受光素子７０、７３のように半導体レーザの光出力をモニターするために２個の受光素子を用いていた。
【０００４】
また、ＣＤ−Ｒ／ＲＷドライブは、現在パソコンの標準装備化が進み、最も一般的なＯＳであるマイクロソフト社のｗｉｎｄｏｗｓ（登録商標）上でもＣＤ−Ｒ／ＲＷメディアへの記録が可能になり、ＣＤ−Ｒ／ＲＷドライブはユーザにとって一般的なものになっている。さらに、性能面では技術の進歩によりＣＤ−Ｒ／ＲＷメディアへの記録再生スピードの高速化が進んでいる。そして、ＣＤ−Ｒ／ＲＷメディアの記録速度の高速化により、半導体レーザの光出力の高出力化が必要となり、これにより現在のＣＤ−Ｒ／ＲＷドライブの半導体レーザの出力は増大している。最近、これらＣＤ−Ｒ／ＲＷドライブの中に新しい記録メディアの規格であるＤＶＤ−ＲＯＭ系の大容量記録メディアへの記録も可能なドライブが出てきている。ＤＶＤ−ＲＯＭ系の記録メディアの規格は、ＤＶＤＲＡＭ、ＤＶＤ＋Ｒ／ＲＷ、ＤＶＤ−Ｒ／ＲＷといった規格が各社から出ており、ＣＤ−Ｒ／ＲＷといったＣＤ−ＲＯＭ系の記録メディアの規格より大容量の記録が行なえる。（ＣＤ−Ｒ／ＲＷ：６５０ＭＢ、ＤＶＤＲＡＭ、ＤＶＤ＋Ｒ／ＲＷ、ＤＶＤ−Ｒ／ＲＷ：４．７ＧＢ）ＤＶＤＲＡＭ、ＤＶＤ＋Ｒ／ＲＷ、ＤＶＤ−Ｒ／ＲＷ（以後ＤＶＤ記録規格と呼ぶ）は最近開発されたばかりと言う事もあり、記録スピードの高速化が進んでいるＣＤ−Ｒ／ＲＷと比べて、非常に低速で半導体レーザの記録パワーも低出力である。
現在商品化されているこのようなＣＤ−Ｒ／ＲＷ＋ＤＶＤ記録規格ドライブは、ＣＤ−Ｒ／ＲＷ用とＤＶＤ記録規格用の半導体レーザをそれぞれ持っている。これは、ＣＤ−Ｒ／ＲＷ用とＤＶＤ記録規格用では、半導体レーザの波長が異なるためである。また、これら各半導体レーザの光出力のモニタ用の受光素子も、それぞれＣＤ−Ｒ／ＲＷ用とＤＶＤ記録規格用の２種類持っており、これら受光素子の出力信号を処理する回路も異なる。これは、ＣＤ−Ｒ／ＲＷとＤＶＤ記録規格の記録パワーの違いから来るもので、ドライブ内にある受光素子の動作電圧と半導体レーザの光出力から決まる半導体レーザパワーのモニタ回路の分解能が異なるためである。
【０００５】
【発明が解決しようとする課題】
前記図７のように、ＣＤ−Ｒ／ＲＷ＋ＤＶＤ記録規格ドライブは、その光出力をモニタするために２種類の受光素子を必要とするために、部品点数が多くなり、コスト的にも高くなるといった問題がある。
本発明は、かかる課題に鑑み、従来ＣＤ−Ｒ／ＲＷ用とＤＶＤ記録規格用に専用の受光素子を備えて半導体レーザのパワーモニタを行っていたのを、一つの受光素子で行なうことにより、部品点数の低減およびコスト削減を実現した光ディスク記録再生装置を提供することを目的とする。
【０００７】
【課題を解決するための手段】
本発明はかかる課題を解決するために、請求項１は、使用するレーザの波長が異なる少なくとも２つ以上の光ディスクに対して情報の書き込みが可能である光ディスク情報記録装置において、異なるレーザ波長を有する少なくとも２つ以上のレーザ光源の発光パワーをモニタする１つの受光素子と、該受光素子の出力信号を増幅する第１の増幅器と、該第１の増幅器の出力経路を切り替える信号切替え手段と、該信号切替え手段からの前記第１の増幅器の出力信号を、更に増幅する第２の増幅器と、を備え、前記受光素子がモニタするレーザ波長に基づいて、前記信号切替え手段は前記第１の増幅器の出力信号をそのまま出力するか、前記第２の増幅器を介して出力するかを選択可能としたことを特徴とする。増幅器をカスケードに接続すると、２段目の増幅器の増幅率は少なくて済む。一般に増幅器は、増幅率を大きくすると動作が不安定となり、またリニアリティが悪くなる。そこで、第１の増幅器の出力を第２の増幅器で増幅することにより、第２の増幅器の増幅率を少なくすることが可能となる。かかる発明によれば、共通の受光素子がモニタするレーザ波長に基づいて、スイッチは第１の増幅器の出力信号をそのまま出力するか、第２の増幅器を介して出力するかを選択可能としたので、適正なモニタ信号を簡易な構成により得ることができる。
請求項２は、前記第１の増幅器は、前記少なくとも２つ以上のレーザ光源の一方の発光パワーを最適な信号レベルに増幅するように構成され、前記第２の増幅器は、前記第１の増幅器の出力レベルを更に増幅して、前記少なくとも２つ以上のレーザ光源の他方の発光パワーを最適な信号レベルに増幅するように構成されていることも本発明の有効な手段である。増幅器をカスケード接続すると、第１段目の増幅率に対して不足する増幅率を第２段目の増幅器は持てばよい。従って、第２段目の増幅率は少なくて済み、増幅器の設計そのものも容易となる。例えば、第１の増幅器が増幅率２を必要とし、第２の増幅器が増幅率４を必要とした場合、本来であれば、増幅率が２と４の２種類の増幅器が必要であるが、本発明の場合は、第２の増幅器の増幅率は２でよいことになる。かかる技術手段によれば、第１の増幅器は、少なくとも２つ以上のレーザ光源の一方の発光パワーを最適な信号レベルに増幅するように構成され、また、第２の増幅器は、第１の増幅器の出力レベルを更に増幅して、発光パワーを最適な信号レベルに増幅するように構成されているので、第２の増幅器の構成が簡単となり、リニアリティが向上する。
【０００８】
請求項３は、使用するレーザの波長が異なる少なくとも２つ以上の光ディスクに対して情報の書き込みが可能である光ディスク情報記録装置において、異なるレーザ波長を有する少なくとも２つ以上のレーザ光源の発光パワーをモニタする１つの受光素子と、該受光素子の出力信号の出力経路を切り替える信号切替え手段と、該信号切替え手段からの出力信号を増幅する増幅器と、を備え、前記受光素子がモニタするレーザ波長に基づいて、前記信号切替え手段は前記受光素子の出力信号をそのまま出力するか、前記増幅器を介して出力するかを選択可能としたことを特徴とする。少なくとも２つ以上の波長のレーザ光をモニタする場合、信号レベルの高いほうを増幅器を介さずに直接制御回路に入力することが可能である。そして、その信号は、制御回路側で分解能に合った信号レベルに補正するようにすれば、増幅器を減らすことができる。かかる発明によれば、受光素子がモニタするレーザ波長に基づいて、スイッチにより受光素子の出力信号をそのまま出力するか、増幅器を介して出力するかを選択可能としたので、増幅器を減らすことができ、コストを削減することができる。
請求項４は、光ディスクに対して情報の書き込みが可能である光ディスク情報記録装置に搭載するパワーモニタ回路であって、レーザ光源の発光パワーをモニタする１つの受光素子と、前記受光素子の出力信号を増幅する第１の増幅器と、前記第１の増幅器の出力経路を切り替える信号切替え手段と、前記信号切替え手段からの前記第１の増幅器の出力信号を、更に増幅する第２の増幅器と、前記信号切替え手段を駆動させる入力端子と、前記第１の増幅器の出力信号を出力する端子と、前記第２増幅器の出力信号を出力する端子を有することを特徴とする。
請求項５は、光ディスクに対して情報の書き込みが可能である光ディスク情報記録装置に搭載するパワーモニタ回路であって、レーザ光源の発光パワーをモニタする１つの受光素子と、前記受光素子の出力信号の出力経路を切り替える信号切替え手段と、前記信号切替え手段からの出力信号を増幅する増幅器と、前記信号切替え手段を駆動させる入力端子と、前記受光素子の出力信号をそのまま出力する出力端子と、前記増幅器の出力信号を出力する端子を有することを特徴とする。
【０００９】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の実施形態の光ディスク装置の構成を示すブロック図である。この構成は、ＣＤ−Ｒ／ＲＷドライブとＤＶＤ−ＲＯＭドライブの複合機(コンボドライブ)で実現している。スピンドルモータ２により回転駆動されるＣＤもしくはＤＶＤの光ディスク１と、ＣＬＶ(Constant Linear Velocity：線速一定)もしくはＣＡＶ(Constant Angular Velocity：回転数一定)制御されるスピンドルモータ２と図示しない光ピックアップ３内のアクチュエータを駆動するモータドライバ５と、このモータドライバ５にサーボ制御のための信号を生成するサーボ回路９と、前記光ピックアップ３内の図示しない受光素子からの各信号を演算処理するＲＦアンプ６と、図示しないＣＤ用の半導体レーザ光源とのＤＶＤ用半導体レーザ光源、対物レンズ等の光学系、及びアクチュエータを内蔵した光ピックアップ３と、レーザ光源の光量等を制御するＬＤドライバ４と、光ディスク１に刻まれているＡＴＩＰ(Absolute Time In Pregroove)情報を取り出すＡＴＩＰデコーダ７と、データの正確な書き出し位置を生成するＣＤエンコーダ回路８と、２値化されたＲＦ信号をＥＦＭ（Eight to Fourteen Modulation）変調するＣＤ／ＤＶＤデコーダ１０と、データを一時記憶するバッファＲＡＭ１１と、このバッファＲＡＭ１１を制御するバッファ・マネージャ１４と、バッファＲＡＭ１１に接続され、ＡＴＡＰＩやＳＣＳＩインターフェイスを有するホストインターフェイス１２と、ＣＤ／ＤＶＤデコーダ１０に接続され、オーディオ信号を出力するＤ／Ａコンバータ１３と、エラー訂正コードの不可や、インターリーブ（並べ替え）が行われた後ＥＦＭ変調するＣＤ−ＲＯＭエンコーダ１５と、ＥＦＭ復調されたデータをデインタリーブ（並べ替え直し）とエラー訂正の処理をするＣＤ−ＲＯＭデコーダ１６と、記憶装置１８を有し、全体の制御を司るシステムコントローラ１７から構成されている。
【００１０】
次に、図１を使いＣＤ系（ＣＤ−ＲＯＭ／Ｒ／ＲＷ）の動作説明を行なう。なお、ＤＶＤ系（ＤＶＤ−ＲＯＭ、ＤＶＤ＋Ｒ／ＲＷ）の動作については同じなので省略する。光ディスク１（ＣＤやＣＤ−ＲＯＭディスク）は、スピンドルモータ２により回転駆動される。スピンドルモータ２はモータドライバ５とサーボ回路９により一定速度になるように制御される。また、光ピックアップ３は、図示していないＣＤ系用とＤＶＤ系用の半導体レーザ（Laser Diode）をそれぞれ持ち、光学系（レンズ等）、フォーカスアクチュエータ（レーザー光の焦点がディスクに合うようにレンズの位置をディスクと垂直方向に動かす機構）、トラックアクチュエータ（レーザー光の焦点がトラックをトレースするようにディスクの半径方向（スレッジ方向）にレンズを動かす機構）、及び受光素子、ポジションセンサ等と本発明の対象となるパワーモニタ回路を内蔵したもので、レーザ光を光ディスク１に照射する。また、光ピックアップ３全体は、図示していないシークモータによりスレッジ方向に移動可能である。これらフォーカスアクチュエータ、トラックアクチュエータ、シークモータは受光素子、ポジションセンサから得られたフォーカスエラー信号（ＦＥ）やトラックエラー（ＴＥ）信号などのサーボ信号をもとに、モータドライバ５とサーボ回路９によりレーザースポットが目的の場所に位置するよう制御される。
また、データ読み出しの場合、光ピックアップ３で得られた再生信号はＲＦアンプ６で増幅され２値化（デジタル化）された後、ＣＤ／ＤＶＤデコーダに入力されＥＦＭ復調される。ＥＦＭ復調されたデータは、デインタリーブ（並べ替え直し）とエラー訂正の処理を受ける。その後このデータはバッファマネージャ１４により一旦バッファＲＡＭ１１に蓄えられ、セクタデータとしてそろった段階でホストＩ／Ｆ１２を介して、ホストコンピュータに一気に送られる。音楽データの場合は、ＣＤデコーダ１０から出てきたデータは、Ｄ／Ａコンバータ１３に入力され、アナログのオーディオ信号が取り出される。
【００１１】
次に、データ書き込み時は、ホストＩ／Ｆ１２を通しホストから送られてきたデータをバッファマネージャ１４により一旦バッファＲＡＭ１１に蓄え、バッファにある程度データが貯まったところで書き込みを開始するが、その前にディスク内周に用意されている記録パワーの構成領域で最適記録パワーの決定が行われる。また、レーザースポットを書き込み開始地点に位置させなければならない。この地点はトラックの蛇行により、あらかじめ光ディスクに刻まれているウォブル（Wobble）信号により求められる。ウォブル信号にはＡＴＩＰと呼ばれる絶対時間情報が含まれており、ＡＴＩＰデコーダ７によりこの情報を取り出す。またＡＴＩＰデコーダ７が生成する同期信号は、ＣＤエンコーダ８に入力され、正確な位置でのデータの書き出しを可能にしている。また、バッファＲＡＭ１１のデータは、ＣＤ−ＲＯＭエンコーダ１５やＣＤエンコーダ８でエラー訂正コードの付加やインターリーブ（並べ替え）が行われた後、ＥＦＭ変調され、ＬＤドライバ４、光ピックアップ３を介して光ディスク１に記録される。記録は、光ピックアップ３がレーザビームを記録ピームと再生ビーム交互に切り替えて行っている。
図２は、ＣＤ−Ｒ／ＲＷとＤＶＤ＋Ｒ／ＲＷのパワーモニタ信号のレベルと半導体レーザのパワーの関係を示す図である。図ではＣＤ−Ｒ／ＲＷとＤＶＤ＋Ｒ／ＲＷの最高記録速度がそれぞれ３２倍速、２．４倍速のドライブで、最高記録速度時の記録パワーが６０ｍＷ、２０ｍＷであり、パワーモニタ回路の動作電圧が５ｖの場合の例である。この図から、ＣＤ−Ｒ／ＲＷの特性は直線２１のようになり、パワーモニタ回路の動作電圧が５ｖになる点ｂが６０ｍＷを示し、ＤＶＤ＋Ｒ／ＲＷの特性は直線２０のようになり、パワーモニタ回路の動作電圧が５ｖになる点ａが２０ｍＷを示し、例えば、１ｍＷでのパワーモニタ信号は、ＣＤ−Ｒ／ＲＷの場合、Ｂとなり、ＤＶＤ＋Ｒ／ＲＷの場合、Ａとなり分解能が異なることが分かる。
【００１２】
図３は、本発明の第１の実施形態に係るパワーモニタ回路の回路図である。図に示すように本パワーモニタ回路３０の構成は、ＣＤ−Ｒ／ＲＷとＤＶＤ＋Ｒ／ＲＷ共通で使用する半導体光出力をモニターするための受光素子２５と、この受光素子２５の出力信号の出力先を、図示しないシステムコントローラからのスイッチコントロール信号２９により任意に選択できるスイッチ２６と、またスイッチ２６の出力を増幅し、ＣＤ−Ｒ／ＲＷ用の分解能にモニター信号をレベルシフトするための増幅器２７と、ＤＶＤ＋Ｒ／ＲＷ用の分解能にモニター信号をレベルシフトするための増幅器２８により構成されている。
これら増幅器２７、２８からの出力信号（モニター信号）３２、３３は、ドライブ内のシステムコントローラに出力される。システムコントローラはユーザがＣＤ−Ｒ／ＲＷを使用している場合には、スイッチ２６をＡ側に切り替える。Ａ側はＣＤ−Ｒ／ＲＷ用のモニター信号を生成する経路であり、ここで受光素子２５の出力信号は増幅器２７に入力され増幅された後、パワーモニタ回路３０から出力される。システムコントローラはこの出力信号であるモニター信号３２を使ってＣＤ−Ｒ／ＲＷ使用時の半導体レーザのパワー制御を行なう。一方ユーザがＤＶＤ＋Ｒ／ＲＷを使用している場合には、システムコントローラはスイッチをＢ側に切り替える。Ｂ側はＤＶＤ＋Ｒ／ＲＷ用のモニター信号を生成する経路であり、ここで受光素子２５の出力信号は増幅器２８に入力され増幅された後、パワーモニタ回路３０から出力される。ＣＤ−Ｒ／ＲＷ使用時と同様に、システムコントローラはこの出力信号であるモニター信号３３を使ってＤＶＤ＋Ｒ／ＲＷ使用時の半導体レーザのパワー制御を行なう。以上の構成及び動作により、１個の受光素子２５のパワーモニタ回路３０で半導体レーザのパワー制御を実現する。
【００１３】
図４は、本発明の第２の実施形態に係るパワーモニタ回路の回路図である。図に示すように本パワーモニタ回路の構成は、ＣＤ−Ｒ／ＲＷとＤＶＤ＋Ｒ／ＲＷ共通で使用する半導体光出力をモニターするための受光素子３５と、また受光素子３５の出力を増幅し、ＣＤ−Ｒ／ＲＷ用の分解能にモニター信号をレベルシフトするための増幅器３６と、この増幅器３６の出力信号の出力先を図示しないシステムコントローラからのスイッチコントロール信号４１により任意に選択できるスイッチ３７と、増幅器３６の出力信号をＤＶＤ＋Ｒ／ＲＷ用の分解能にレベルシフトするための増幅器３８により構成されている。
システムコントローラはユーザがＣＤ−Ｒ／ＲＷを使用している場合には、スイッチ３７をＡ側に切り替える。Ａ側はＣＤ−Ｒ／ＲＷ用のモニター信号用の経路であり、増幅器３６でＣＤ−Ｒ／ＲＷ用の分解能に合った信号レベルに増幅された、受光素子３５からの出力信号は、この経路では特に信号処理は行われずにパワーモニタ回路３９から出力される。システムコントローラはこの出力信号であるモニター信号４２を使って、ＣＤ−Ｒ／ＲＷ使用時の半導体レーザのパワー制御を行なう。一方ユーザがＤＶＤ＋Ｒ／ＲＷを使用している場合には、システムコントローラはスイッチをＢ側に切り替える。Ｂ側はＤＶＤ＋Ｒ／ＲＷ用のモニター信号を生成する経路であり、ここで増幅器３６の出力信号はＤＶＤ＋Ｒ／ＲＷ用の分解能に合った信号レベルに増幅器３８で増幅された後、パワーモニタ回路３９から出力される。ＣＤ−Ｒ／ＲＷ使用時と同様にシステムコントローラは、この出力信号であるモニター信号４３を使ってＤＶＤ＋Ｒ／ＲＷ使用時の半導体レーザのパワー制御を行なう。以上の構成及び動作により、１個の受光素子３５のパワーモニタ回路３９で半導体レーザのパワー制御を実現する。
【００１４】
図５は、本発明の第３の実施形態に係るパワーモニタ回路の回路図である。図に示すように本パワーモニタ回路５５の構成は、ＣＤ−Ｒ／ＲＷとＤＶＤ−Ｒ／ＲＷ共通で使用する半導体光出力をモニターするための受光素子５０と、また受光素子５０の出力信号の出力先を、システムコントローラからのスイッチコントロール信号５７により任意に選択できるスイッチ５１と、スイッチ５１の出力信号をＤＶＤ＋Ｒ／ＲＷ用の分解能にレベルシフトするための増幅器５２から構成される。
システムコントローラはユーザがＣＤ−Ｒ／ＲＷを使用している場合には、スイッチ５１をＡ側に切り替える。Ａ側はＣＤ−Ｒ／ＲＷ用のモニター信号用の経路であり、受光素子５０からの出力信号は、この経路では特に信号処理は行われずにパワーモニタ回路５５から出力される。システムコントローラはこの出力信号であるモニター信号５３を使って、ＣＤ−Ｒ／ＲＷ使用時の半導体レーザのパワー制御を行なう。一方ユーザがＤＶＤ＋Ｒ／ＲＷを使用している場合には、システムコントローラはスイッチをＢ側に切り替える。Ｂ側はＤＶＤ＋Ｒ／ＲＷ用のモニター信号を生成する経路であり、ここでスイッチの出力信号はＤＶＤ＋Ｒ／ＲＷ用の分解能に合った信号レベルに増幅器５２で増幅された後、パワーモニタ回路５５から出力される。ＣＤ−Ｒ／ＲＷ使用時と同様にシステムコントローラはこの出力信号であるモニター信号５４を使ってＤＶＤ＋Ｒ／ＲＷ使用時の半導体レーザのパワー制御を行なう。以上の構成及び動作により、１個の受光素子のパワーモニタ回路で半導体レーザのパワー制御を実現する。
図６は、本発明の第４の実施形態に係るパワーモニタ回路の回路図である。このパワーモニタ回路６２の構成は、ＣＤ−Ｒ／ＲＷとＤＶＤ−Ｒ／ＲＷ共通で使用する半導体光出力をモニターするための受光素子６０のみにより構成される。モニタしている波長はシステムコントローラにより認識されている。従って、システムコントローラの処理能力に余裕があれば、受光素子６０の出力信号６１を直接検出して、使用している波長ごとにその分解能に合った信号レベルに補正することは可能である。これにより、増幅器を必要とせず、最小のコストで実現することができる。
【００１５】
【発明の効果】
以上記載のごとく請求項１、４では、共通の受光素子がモニタするレーザ波長に基づいて、スイッチは第１の増幅器の出力信号をそのまま出力するか、第２の増幅器を介して出力するかを選択可能としたので、適正なモニタ信号を簡易な構成により得ることができる。また請求項２では、第１の増幅器は、少なくとも２つ以上のレーザ光源の一方の発光パワーを最適な信号レベルに増幅するように構成され、また、第２の増幅器は、第１の増幅器の出力レベルを更に増幅して、発光パワーを最適な信号レベルに増幅するように構成されているので、第２の増幅器の構成が簡単となり、リニアリティが向上する。また請求項３、５では、受光素子がモニタするレーザ波長に基づいて、スイッチにより受光素子の出力信号をそのまま出力するか、増幅器を介して出力するかを選択可能としたので、増幅器を減らすことができ、コストを削減することができる。
【図面の簡単な説明】
【図１】本発明の実施形態の光ディスク装置の構成を示すブロック図である。
【図２】本発明のＣＤ−Ｒ／ＲＷとＤＶＤ＋Ｒ／ＲＷのパワーモニタ信号のレベルと半導体レーザのパワーの関係を示す図である。
【図３】本発明の第１の実施形態に係るパワーモニタ回路の回路図である。
【図４】本発明の第２の実施形態に係るパワーモニタ回路の回路図である。
【図５】本発明の第３の実施形態に係るパワーモニタ回路の回路図である。
【図６】本発明の第４の実施形態に係るパワーモニタ回路の回路図である。
【図７】従来のＣＤ−Ｒ／ＲＷ、ＤＶＤ＋Ｒ／ＲＷ両規格対応ドライブのピックアップ内部にあるパワーモニタ回路の回路図である。
【符号の説明】
２５  受光素子、２６  スイッチ、２７、２８  増幅器、３０  パワーモニタ回路、３１  ピックアップ
【図１】
0003848891.tif 000002
【図２】
0003848891.tif 000003
【図３】
0003848891.tif 000004
【図４】
0003848891.tif 000005
【図５】
0003848891.tif 000006
【図６】
0003848891.tif 000007
【図７】
0003848891.tif 000008